(57)【特許請求の範囲】
【請求項１】
内周側から紐を引き出す内取紐玉と、外周側から紐を引き出す外取紐玉とを選択的に収容可能な紐バスケットを備え、該紐バスケットから引き出した紐で排稈を結束する結束装置において、前記紐バスケット内に、バスケット側板との間で内取紐玉を保持する仕切板を設けるにあたり、紐バスケットの紐玉補給口から見て仕切板の手前側半部と奥側半部とが紐バスケット幅方向に背反的に変位すべく、紐バスケットの奥行方向中間位置を支点として仕切板を回動自在に支持したことを特徴とする結束装置。
【請求項２】
請求項１において、仕切板の上下に支軸を突設し、該上下の支軸を、紐バスケットで回動および着脱自在に支持したことを特徴とする結束装置。
【請求項３】
請求項１において、外取紐玉収容時に仕切板を取外すにあたり、取外した仕切板を、バスケット側板に重合状に固定可能にしたことを特徴とする結束装置。
【発明の詳細な説明】
【０００１】
【発明の属する技術分野】
本発明は、コンバイン等に設けられる結束装置の技術分野に属するものである。
【０００２】
【従来の技術】
一般に、この種結束装置のなかには、内周側から紐を引き出す内取紐玉と、外周側から紐を引き出す外取紐玉とを選択的に収容可能な紐バスケットを備え、該紐バスケットから引き出した紐で排稈を結束するようにしたものがある。即ち、内取紐玉を紐バスケットに収容する際には、紐バスケット内に仕切板を取付け、該仕切板とバスケット側板との間に内取紐玉をセットする一方、外取紐玉を紐バスケットに収容する際には、紐バスケット内の仕切板を取外し、他側のバスケット側板に設けられるサポートに外取紐玉をセットするように構成されている。
【０００３】
【発明が解決しようとする課題】
ところで、前記内取紐玉は、仕切板とバスケット側板との間で押圧状に保持することが望ましいが、この場合には、仕切板とバスケット側板との間に内取紐玉を押し込むようにセットする必要があるため、紐玉補給時の作業性が低下する不都合があった。
【０００４】
【課題を解決するための手段】
本発明は、上記の如き実情に鑑みこれらの課題を解決することを目的として創作されたものであって、内周側から紐を引き出す内取紐玉と、外周側から紐を引き出す外取紐玉とを選択的に収容可能な紐バスケットを備え、該紐バスケットから引き出した紐で排稈を結束する結束装置において、前記紐バスケット内に、バスケット側板との間で内取紐玉を保持する仕切板を設けるにあたり、紐バスケットの紐玉補給口から見て仕切板の手前側半部と奥側半部とが紐バスケット幅方向に背反的に変位すべく、紐バスケットの奥行方向中間位置を支点として仕切板を回動自在に支持したことを特徴とするものである。つまり、内取紐玉をセットする際に、仕切板を回動させて仕切板手前側半部とバスケット側板との間隔を広げることができるため、内取紐玉を容易に紐バスケット内に入れることができ、しかも、内取紐玉を紐バスケットの奥まで入れると、仕切板の奥側半部が内取紐玉に押されるのに伴い、仕切板全体が自動的に内取紐玉の一側面に沿うため、わざわざ仕切板を手で戻す必要がない。
また、仕切板の上下に支軸を突設し、該上下の支軸を、紐バスケットで回動および着脱自在に支持したことを特徴とするものである。つまり、回動支持部材と着脱支持部材を兼用しているため部品点数を削減することができる。
また、外取紐玉収容時に仕切板を取外すにあたり、取外した仕切板を、バスケット側板に重合状に固定可能にしたことを特徴とするものである。つまり、仕切板を利用してバスケット側板の剛性を高めることができる。
【０００５】
【発明の実施の形態】
次に、本発明の実施の形態の一つを図面に基づいて説明する。図面において、１はコンバインの機体後部に装着される結束装置（スライドノッタ）であって、該結束装置１は、結束空間を存して上下に並設される横フレーム２、３のうち、下側の横フレーム２に左右スライド自在に支持される下側結束ケース４と、上側の横フレーム３に左右スライド自在に支持される上側結束ケース５とを備えている。そして、前記下側結束ケース４には、排稈を結束空間に集束するパッカー、集束された排稈の圧力を検知するドア、該ドアの圧力検知に基づいて作動するタイミングクラッチ、該タイミングクラッチの作動に連動して排稈束に結束紐を巻き付けるニードル等が組込まれる一方、上側結束ケース５には、ニードルによって巻き付けられた結束紐の両端部を保持し、かつ所定のタイミングで結束紐を切断するホルダ、結束紐の両端部を結節するビル、結束した排稈束を放出するスイーパ等が組み込まれているが、両結束ケース４、５は、チェン伝動機構を内装する略コ字状（後面視）の伝動ケース７を介して一体的に連結されているため、この一体化されたケースアッセンブリ（ケース体）８のスライド操作に基づいて排稈結束位置を調節することができるようになっている。尚、９は結束空間の株元側で排稈の株元を揃える根揃え装置である。
【０００６】
１０は結束装置１に結束紐を供給する紐バスケットであって、該紐バスケット１０は、側面視正八角形の筒状ケースで構成されており、その正面には、紐玉補給口１０ａを開閉する蓋１１が上下回動自在に設けられる一方、外側面部には、紐バスケット１０から引き出される紐に抵抗を与える紐ブレーキ機構１２が設けられている。そして、作業始めにおいては、紐ブレーキ機構１２を介して引き出した紐を紐ガイドおよびニードルに通す紐通し作業を行うが、これらの基本構成は何れも従来通りである。
【０００７】
１０ｂ、１０ｃは紐バスケット１０の左右両端部から上方に突出する取付部であって、該取付部１０ｂ、１０ｃのうち、左側の取付部１０ｂは、下側結束ケース４に固定される一方、右側の取付部１０ｃは、伝動ケース７に固定されている。つまり、前記ケースアッセンブリ８の下部に、紐バスケット１０を一体的に取付けているため、結束位置を調節しても結束装置１と紐バスケット１０との相対位置が変化することがなく、その結果、紐通し作業が容易になる許りでなく、結束作業中の結束位置調節に伴って紐が弛む不都合を解消することができるようになっている。また、紐バスケット１０は、スライド方向に沿う姿勢で両端部がケースアッセンブリ８に固定されているため、紐バスケット１０のスライドスペースを可及的に小さくすることができる許りでなく、ケースアッセンブリ８を利用して紐バスケット１０の剛性を高めることができるようになっている。
【０００８】
ところで、前記取付部１０ｂ、１０ｃには、ケースアッセンブリ８のスライド方向を向く係合ピン１３が一体的に突設される一方、下側結束ケース４および伝動ケース７には、係合ピン１３の位置に対応する係合孔４ａ、７ａが形成されており、該係合孔４ａ、７ａに、ケースアッセンブリ８のスライド方向から係合ピン１３を係合させた後、右側取付部１０ｃを、ボルト１４を用いて伝動ケース７に緊締状に固定するようになっている。つまり、紐バスケット１０をケースアッセンブリ８に一体的に固定するにあたり、ボルト固定箇所を可及的に減らして紐バスケット１０の取付作業を容易にしている。
【０００９】
前記紐バスケット１０は、内周側から紐を引き出す内取紐玉１５と、外周側から紐を引き出す外取紐玉１６とを選択的に収容できるように構成されている。つまり、内取紐玉１５を紐バスケット１０に収容する際には、紐バスケット１０内に後述する仕切板１７を取付けた後、該仕切板１７とバスケット左側板１０ｄとの間に内取紐玉１５をセットし、一方、外取紐玉１６を紐バスケット１０に収容する際には、紐バスケット１０内の仕切板１７を取外した後、バスケット右側板１０ｅに設けられるサポート１８に外取紐玉１６をセットするように構成されている。尚、１９、２０は外取紐玉１６を抜止めするために使用される抜止めハンドルおよび抜止めナットである。
【００１０】
前記仕切板１７は、その左側面に貼着されるスポンジ２１と、バスケット左側板１０ｄの内側面に貼着されるスポンジ２２との間で内取紐玉１５を押圧状に保持するが、前記紐玉補給口１０ａから見て仕切板１７の手前側半部１７ａと奥側半部１７ｂとが紐バスケット１０の幅方向（左右方向）に背反的に変位すべく、紐バスケット１０の奥行方向中間位置を支点として回動自在に支持されている。即ち、内取紐玉１５をセットする際に、仕切板１７を回動させて手前側半部１７ａとバスケット左側板１０ｄとの間隔を広げることができるため、内取紐玉１５を容易に紐バスケット１０内に入れることができ、しかも、内取紐玉１５を紐バスケット１０の奥まで入れると、仕切板１７の奥側半部１７ｂが内取紐玉１５に押されるのに伴い、仕切板１７全体が自動的に内取紐玉１５の右側面に沿うようになっている。
【００１１】
２３は前記仕切板１７の上下両端部を支持する一対のボルトであって、該ボルト２３は、仕切板１７および紐バスケット１０の上下両端部に形成されるバカ孔に挿通されると共に、ダブルナット２４を用いて抜止めされている。従って、前記ボルト２３は、仕切板１７の回動支軸として機能するが、ボルト２３およびダブルナット２４の着脱に基づいて仕切板１７の取付け、取外しが可能であるため、ボルト２３を回動支持部材および着脱支持部材に兼用して部品点数の削減および構造の簡略化を計ることができるようになっている。また、２５は仕切板１７の奥側端部に突設される回動規制ピンであって、該回動規制ピン２５は、紐バスケット１０の奥側に左右方向を向いて形成される長孔１０ｆに嵌入して仕切板１７の必要以上の回動を規制するようになっている。
【００１２】
一方、紐バスケット１０に外取紐玉１６を収容する場合には、仕切板１７を取外すことになるが、取外した仕切板１７は、バスケット右側板１０ｅの内側面に重合状に固定することができるようになっている。つまり、仕切板１７には、サポート１８との干渉を回避するための中央孔１７ｃが形成されると共に、バスケット右側板１０ｅに形成されるバカ孔位置に対応したボルト２６が突設されているため、ナット２７の締付けによって仕切板１７をバスケット右側板１０ｅの内側面に重合状に固定することができ、その結果、仕切板１７を利用してバスケット右側板１０ｅの剛性を高めることができる許りでなく、取外した仕切板１７が紛失する不都合も回避することが可能になるが、さらに、本実施形態では、サポート１８の基端部に形成されるフランジ部１８ａを挟む状態で仕切板１７とバスケット右側板１０ｅとを共締めしているため、サポート１８の支持強度も高めることができるようになっている。
【００１３】
叙述の如く構成されたものにおいて、結束装置１が組込まれるケースアッセンブリ８のスライド操作に基づいて排稈の結束位置を調節するものであるが、前記ケースアッセンブリ８の下部に、そのスライド方向に沿う姿勢で紐バスケット１０を一体的に取付けたため、結束位置を調節しても結束装置１と紐バスケット１０との相対位置が変化することがなく、その結果、紐通し作業が容易になる許りでなく、結束作業中の結束位置調節に伴って紐が弛む不都合を解消することができ、しかも、紐バスケット１０は、ケースアッセンブリ８のスライド方向を向くため、紐バスケット１０のスライドスペースを可及的に小さくすることができる。
【００１４】
また、紐バスケット１０は、その両端部がケースアッセンブリ８に固定されているため、ケースアッセンブリ８を利用して紐バスケット１０の剛性を高めることができる。
【００１５】
また、紐バスケット１０の両端部に、ケースアッセンブリ８のスライド方向からケースアッセンブリ８に係合する係合ピン１３を設けると共に、紐バスケット１０の一端部のみをケースアッセンブリ８にボルト固定するようにしたため、紐バスケット１０の緊締取付箇所を減らして紐バスケット１０の取付作業を簡略化することができる。
【００１６】
また、紐バスケット１０内に、バスケット左側板１０ｄとの間で内取紐玉１５を保持する仕切板１７を設けるにあたり、紐バスケット１０の紐玉補給口１０ａから見て仕切板１７の手前側半部１７ａと奥側半部１７ｂとが左右方向に背反的に変位すべく、紐バスケット１０の奥行方向中間位置を支点として仕切板１７を回動自在に支持したため、内取紐玉１５をセットする際に、仕切板１７を回動させて手前側半部１７ａとバスケット左側板１０ｄとの間隔を広げることにより、内取紐玉１５を容易に紐バスケット１０内に入れることができ、しかも、内取紐玉１５を紐バスケット１０の奥まで入れると、仕切板１７の奥側半部１７ｂが内取紐玉１５に押されるのに伴い、仕切板１７全体が自動的に内取紐玉１５の一側面に沿うため、わざわざ仕切板１７を手で戻す必要もない。
【００１７】
また、仕切板１７の上下両端部を、ボルト２３を介して紐バスケット１０で回動および着脱自在に支持したため、ボルト２３を回動支持部材および着脱支持部材に兼用して部品点数の削減および構造の簡略化を計ることができる。
【００１８】
また、外取紐玉１６の収容時に仕切板１７を取外すにあたり、取外した仕切板１７を、バスケット右側板１０ｅに重合状に固定するようにしたため、仕切板１７を利用してバスケット右側板１０ｅの剛性を高めることができる許りでなく、取外した仕切板１７の紛失も防止でき、しかも、サポート１８のフランジ部１８ａを挟む状態で仕切板１７とバスケット右側板１０ｅとを共締めするため、サポート１８の支持強度も高めることができる。
【図面の簡単な説明】
【図１】結束装置の後面図である。
【図２】内取紐玉収容状態を示す紐バスケットの正面図である。
【図３】外取紐玉収容状態を示す紐バスケットの正面図である。
【図４】紐バスケットの断面図である。
【図５】仕切板の作用を示す紐バスケットの平面図である。
【図６】仕切板をバスケット側板に固定した状態を示す紐バスケットの平面図である。
【図７】外取紐玉収容状態を示す紐バスケットの平面図である。
【符号の説明】
１      結束装置
４      下側結束ケース
５      上側結束ケース
７      伝動ケース
８      ケースアッセンブリ
１０    紐バスケット
１０ａ  紐玉補給口
１０ｂ  左側取付部
１０ｃ  右側取付部
１０ｄ  バスケット左側板
１０ｅ  バスケット右側板
１５    内取紐玉
１６    外取紐玉
１７    仕切板
１７ａ  手前側半部
１７ｂ  奥側半部
１８    サポート
２３    ボルト
【図１】
0003865101.tif 000002
【図２】
0003865101.tif 000003
【図３】
0003865101.tif 000004
【図４】
0003865101.tif 000005
【図５】
0003865101.tif 000006
【図６】
0003865101.tif 000007
【図７】
0003865101.tif 000008